(57)【要約】【課題】  パルプおよびリグニンの収率を高める。使用する高沸点有機溶剤を再利用して、経済性を高めるとともに、パルプ化工程での圧力を低くして、設備費、運転コストの軽減を図ることができるパルプの製造方法を提供する。【解決手段】  木質材料および農産物廃棄物等を含む植物バイオマス原料（パルプ原料）と、アルコール類に可溶であってかつ常圧での沸点が１５０〜２９０℃の高沸点有機溶剤を含むアルコール性溶媒とを耐圧容器に充填して加熱処理し、パルプ化する。パルプ化後の蒸解液からパルプ（粗パルプ）と廃液とを分離し、分離されたパルプを高沸点有機溶剤を含むアルコール性溶媒で洗浄して、パルプを取得する。パルプ化工程からの廃液と、パルプ洗浄排出液とに水を加えてリグニンを沈殿させ、リグニン分離後の濾液から高沸点有機溶剤を含む溶剤を回収し、回収した高沸点有機溶剤を、パルプ化工程および／またはパルプ洗浄工程において再利用する。【選択図】    図１
2008045223.tif 000002
【特許請求の範囲】
【請求項１】
木質材料および農産物廃棄物等を含む植物バイオマス原料と、アルコール類に可溶であってかつ常圧での沸点が１５０〜２９０℃の高沸点有機溶剤を５０〜８０％含むアルコール性溶媒とを、液比４〜１０で耐圧容器に充填し、１８０〜２３０℃に加熱処理するパルプ化工程と、パルプ化工程後の蒸解液からパルプ（粗パルプ）と廃液とを分離する工程と、分離されたパルプ（粗パルプ）を高沸点有機溶剤を含むアルコール性溶媒で洗浄して、パルプを取得するパルプ洗浄工程と、前記パルプ化工程からの廃液と、パルプ洗浄工程からの洗浄排出液とに水を加えてリグニンを沈殿させ、濾過してリグニンを取得する工程と、リグニン分離後の濾液から所定のアルコールおよび水を除去して、高沸点有機溶剤を含む溶剤を回収し、回収した高沸点有機溶剤を、パルプ化工程および／またはパルプ洗浄工程において再利用する工程とを含むことを特徴とする、パルプの製造方法。
【請求項２】
高沸点有機溶剤を含むアルコール性溶媒で洗浄したパルプ洗浄工程からのパルプを、さらに水で洗浄し、この水洗浄液を希釈水としてリグニン取得工程において利用し、この水洗浄液を、前記パルプ化工程からの廃液と、パルプ洗浄工程からの洗浄排出液との混合物よりなるパルプ廃液に攪拌下に加え、必要に応じて、さらに少量の水を加えて、リグニンを沈殿させることを特徴とする、請求項１に記載のパルプの製造方法。
【請求項３】
高沸点有機溶剤が、グリセリン、およびエチレングリコールの単体、または混合物であることを特徴とする、請求項１または２に記載のパルプの製造方法。
【請求項４】
アルコールが、低沸点アルコールであることを特徴とする、請求項１〜３のうちのいずれか一項に記載のパルプの製造方法。
【請求項５】
アルコール性溶媒が、低沸点アルコールと高沸点有機溶剤との混合物であり、２３０℃における蒸気圧が１．０ＭＰａ以下であることを特徴とする、請求項１〜４のうちのいずれか一項に記載のパルプの製造方法。
【発明の詳細な説明】
【技術分野】
【０００１】
本発明は、パルプの製造方法に関するものである。
【背景技術】
【０００２】
一般に、木質材料および農産物廃棄物等を含む植物バイオマス原料（パルプ原料）から、パルプを製造する方法としては、化学パルプ化法、および溶剤パルプ化法が知られている。化学パルプ化法には、クラフトパルプ化法、および亜硫酸によるパルプ化法があるが、いずれも比較的高い設備費がかゝるうえに、設備汚染という問題があった。
【０００３】
このような化学パルプ化法の代替方法として、溶剤パルプ化法が現在、注目されてきている。溶剤パルプ化法は、植物バイオマス原料（パルプ原料）を、水溶性有機溶剤で処理して、パルプ原料から、リグニン、ヘミセルロース、糖、およびセルロース分を分離するものである。このようなパルプの製造方法としては、従来、つぎのような特許文献がある。
【特許文献１】米国特許第４，１００，０１６号公報  特許文献１に開示されているパルプの製造方法では、有機溶剤・水−黒液からリグニンの回収に、水による希釈方法を採用している。
【０００４】
また、溶剤パルプ化法によるパルプの製造方法において、高沸点有機溶剤を用いる方法も公知である。
【特許文献２】特開２００１−８９９８６号公報  特許文献２に開示されているパルプの製造方法では、水溶性の高沸点有機溶剤を用いており、また、パルプ化工程および洗浄工程において水を用いている。
【特許文献３】米国特許第２，７７２，９６８号公報（１９５０年）  Ｇｒｏｎｄａｌ、Ｂ．Ｌ．ｅｔ．ａｌによるこの特許文献３には、トリエチレングリコール−ＡｌＣｌ３によるパルプ化方法が開示されている。
【非特許文献１】Ｐａｐ．Ｐｕｕ．６９（１９８７）、（６）、５００−５０４  Ｊｏｈａｓｏｎ  ｅｔ．ａｌによるこの非特許文献１には、ＴＨＦＡ−ＨＣｌによるパルプ化方法が開示されている。
【非特許文献２】Ａｐｐｉｔａ  ３（１１）２９（１９７７）  Ｎｅｌｓｏｎによるこの非特許文献２には、エチレングリコール−サリチル酸によるパルプ化方法が開示されている。
【非特許文献３】Ｃｈｅｍｔｅｃｈ  １３２（８）４９０（１８７４）  Ｓｃｈｅｅｒｓによるこの非特許文献３には、フェノールによるパルプ化方法が開示されている。
【非特許文献４】Ｊａｐａｎ  Ｔａｐｐｉ、４２（１９８８）（５），４８７−４９６  Ｓａｎｏ  ｅｔ．ａｌによるこの非特許文献４には、クレゾールによるパルプ化方法が開示されている。
【非特許文献５】Ｈｏｌｚｆｏｒｓｈｕｎｇ、５３（１９９９）４１１−４１５  Ｓａｎｏ  ａｎｄ  Ｕｒａｋｉによるこの非特許文献５には、多価アルコール−ＨＣｌによる常圧パルプ化方法が開示されている。
【発明の開示】
【発明が解決しようとする課題】
【０００５】
しかしながら、上記特許文献１に記載の従来法によれば、有機溶剤・水−黒液からリグニンの回収に、水による希釈方法が採用されているが、効率が良いものではなかった。そこで、改良法として、酸を加えた水を用いた希釈方法も、従来より提案されているが、酸を添加するために、溶剤の利用に不都合が生じるという問題があった。
【０００６】
また、水溶性の高沸点有機溶剤を用いた特許文献２のパルプの製造方法では、パルプ化工程および洗浄工程において水を用いているので、高沸点有機溶剤に水を加えた高沸点有機溶媒は、パルプ化工程において非常に高圧であるという問題があった。なお、特許文献２のパルプの製造方法では、パルプ化工程および洗浄工程において水を用いているだけで、アルコールに関しては、何も記載されていない。
【０００７】
本発明の目的は、上記の従来技術の問題を解決し、パルプを効率よく取得することができるとともに、リグニンをも効率よく取得することができ、しかも使用する高沸点有機溶剤を再利用することができて、非常に経済的であるうえに、パルプ化工程での圧力が非常に低くてすみ、設備費、および運転コストが非常に安くつく、パルプの製造方法を提供しようとすることにある。
【課題を解決するための手段】
【０００８】
本発明者らは、上記の点に鑑み鋭意研究を重ねた結果、使用する高沸点有機溶剤および廃液、パルプ洗浄液などから、リグニンの回収、並びに高沸点有機溶剤の効率的な再利用を組み合わせたパルプ化方法を検討する中で、高沸点有機溶剤を効率的に再利用する方法を見い出し、本発明を完成するに至ったものである。
【０００９】
上記の目的を達成するために、請求項１のパルプの製造方法の発明は、木質材料および農産物廃棄物等を含む植物バイオマス原料と、アルコール類に可溶であってかつ常圧での沸点が１５０〜２９０℃の高沸点有機溶剤を５０〜８０重量％含むアルコール性溶媒とを、液比４〜１０で耐圧容器に充填し、１８０〜２３０℃に加熱処理するパルプ化工程と、パルプ化工程後の蒸解液からパルプ（粗パルプ）と廃液とを分離する工程と、分離されたパルプ（粗パルプ）を高沸点有機溶剤を含むアルコール性溶媒で洗浄して、パルプを取得するパルプ洗浄工程と、前記パルプ化工程からの廃液と、パルプ洗浄工程からの洗浄排出液とに水を加えてリグニンを沈殿させ、濾過してリグニンを取得する工程と、リグニン分離後の濾液から所定のアルコールおよび水を除去して、高沸点有機溶剤を含む溶剤を回収し、回収した高沸点有機溶剤を、パルプ化工程および／またはパルプ洗浄工程において再利用する工程とを含むことを特徴としている。
【００１０】
請求項２の発明は、請求項１に記載のパルプの製造方法であって、高沸点有機溶剤を含むアルコール性溶媒で洗浄したパルプ洗浄工程からのパルプを、さらに水で洗浄し、この水洗浄液を希釈水としてリグニン取得工程において利用し、この水洗浄液を、前記パルプ化工程からの廃液と、パルプ洗浄工程からの洗浄排出液との混合物よりなるパルプ廃液に攪拌下に加え、必要に応じて、さらに少量の水を加えて、リグニンを沈殿させることを特徴としている。
【００１１】
請求項３の発明は、請求項１または２に記載のパルプの製造方法であって、高沸点有機溶剤が、グリセリン、およびエチレングリコールの単体、または混合物であることを特徴としている。
【００１２】
請求項４の発明は、請求項１〜３のうちのいずれか一項に記載のパルプの製造方法であって、アルコールが、低沸点アルコールであることを特徴としている。
【００１３】
請求項５の発明は、請求項１〜４のうちのいずれか一項に記載のパルプの製造方法であって、アルコール性溶媒が、低沸点アルコールと高沸点有機溶剤との混合物であり、２３０℃における蒸気圧が１．０ＭＰａ以下であることを特徴としている。
【発明の効果】
【００１４】
請求項１のパルプの製造方法の発明は、木質材料および農産物廃棄物等を含む植物バイオマス原料と、アルコール類に可溶であってかつ常圧での沸点が１５０〜２９０℃の高沸点有機溶剤を５０〜８０重量％含むアルコール性溶媒とを、液比４〜１０で耐圧容器に充填し、１８０〜２３０℃に加熱処理するパルプ化工程と、パルプ化工程後の蒸解液からパルプ（粗パルプ）と廃液とを分離する工程と、分離されたパルプ（粗パルプ）を高沸点有機溶剤を含むアルコール性溶媒で洗浄して、パルプを取得するパルプ洗浄工程と、前記パルプ化工程からの廃液と、パルプ洗浄工程からの洗浄排出液とに水を加えてリグニンを沈殿させ、濾過してリグニンを取得する工程と、リグニン分離後の濾液から所定のアルコールおよび水を除去して、高沸点有機溶剤を含む溶剤を回収し、回収した高沸点有機溶剤を、パルプ化工程および／またはパルプ洗浄工程において再利用する工程とを含むもので、本発明によれば、パルプを効率よく取得することができるとともに、パルプ化工程を、１８０〜２３０℃に設定することにより、リグニンの収率を高めることができ、それ以上のエネルギー使用量は、軽減することができるという優れた効果を奏する。
【００１５】
また、高沸点有機溶剤にアルコールを加えたアルコール性溶媒を用いるため、パルプ化工程での圧力を、１．０ＭＰａ以下に非常に低く設定することができて、設備費、および運転コストが非常に安くつくという効果を奏する。
【００１６】
そのうえ、使用する高沸点有機溶剤を再利用することができて、非常に経済的であるという効果を奏する。
【００１７】
請求項２の発明は、請求項１に記載のパルプの製造方法であって、高沸点有機溶剤を含むアルコール性溶媒で洗浄したパルプ洗浄工程からのパルプを、さらに水で洗浄し、この水洗浄液を希釈水としてリグニン取得工程において利用し、この水洗浄液を、前記パルプ化工程からの廃液と、パルプ洗浄工程からの洗浄排出液との混合物よりなるパルプ廃液に攪拌下に加え、必要に応じて、さらに少量の水を加えて、リグニンを沈殿させるもので、本発明の方法によれば、アルコール性溶媒で洗浄後のパルプに水を加えて、水洗しているため、より高純度のパルプを取得することができるうえに、水洗浄液を希釈水として利用し、パルプ廃液に加えて、リグニンを沈殿させているため、洗浄水の再利用を図ることができて、運転コストが安くつき、非常に経済的であるという効果を奏する。
【００１８】
請求項３の発明は、請求項１または２に記載のパルプの製造方法であって、高沸点有機溶剤が、グリセリン、およびエチレングリコールの単体、または混合物であるもので、本発明によれば、これらの高沸点有機溶剤は、アルコールに可溶であるとともに、回収が容易で、有効に再利用することができて、運転コストが非常に安くつくという効果を奏する。
【００１９】
請求項４の発明は、請求項１〜３のうちのいずれか一項に記載のパルプの製造方法であって、アルコールが、低沸点アルコールであるもので、本発明によれば、低沸点アルコールは、コストが安くつくだけでなく、高沸点有機溶剤を含むアルコール性溶媒を用いるため、パルプ化工程での圧力が非常に低くてすみ、設備費、および運転コストが非常に安くつくという効果を奏する。
【００２０】
請求項５の発明は、請求項１〜４のうちのいずれか一項に記載のパルプの製造方法であって、アルコール性溶媒が、低沸点アルコールと高沸点有機溶剤との混合物であり、２３０℃における蒸気圧が１．０ＭＰａ以下であるもので、本発明によれば、パルプ化工程での圧力を、このように非常に低く設定することができて、設備費、および運転コストが非常に安くつくという効果を奏する。
【発明を実施するための最良の形態】
【００２１】
つぎに、本発明の実施の形態を、図面を参照して説明するが、本発明はこれらに限定されるものではない。
【００２２】
図１は、本発明によるパルプの製造方法の第１実施形態を示すブロック図である。
【００２３】
同図を参照すると、本発明によるパルプの製造方法の発明は、まず、パルプ化工程において、木質材料および農産物廃棄物等を含む植物バイオマス原料（パルプ原料）と、アルコール類に可溶であってかつ常圧での沸点が１５０〜２９０℃の高沸点有機溶剤を５０〜８０重量％含むアルコール性溶媒とを、液比４〜１０で耐圧容器に充填し、１８０〜２３０℃に加熱処理する。
【００２４】
ここで、アルコールとしては、メタノール、エタノール、プロパノール、またはブタノールよりなる低沸点アルコールを使用するのが、好ましい。このような低沸点アルコールは、コストが安くつくものである。
【００２５】
また、高沸点有機溶剤としては、グリセリン、およびエチレングリコール等の多価アルコール類の単体、または混合物を用いるのが好ましい。
【００２６】
つぎに、パルプ分離工程において、パルプ化工程後の蒸解液からパルプ（粗パルプ）と廃液とを分離する。
【００２７】
ついで、パルプ洗浄工程において、分離されたパルプ（粗パルプ）を高沸点有機溶剤を含むアルコール性溶媒で、６０〜８０℃で洗浄して、パルプを取得する。
【００２８】
そして、リグニン取得工程において、前記パルプ化工程からの廃液と、パルプ洗浄工程からの洗浄排出液とに水を加えてリグニンを沈殿させ、濾過してリグニンを取得する。
【００２９】
最後に、リグニン分離後の濾液から所定のアルコールおよび水を除去して、高沸点有機溶剤を含む溶剤を回収し、回収した高沸点有機溶剤を、パルプ化工程および／またはパルプ洗浄工程において再利用するものである。
【００３０】
本発明のパルプの製造方法によれば、パルプを効率よく取得することができるとともに、パルプ化工程を、１８０〜２３０℃に設定することにより、リグニンの収率を高めることができ、それ以上のエネルギー使用量は、軽減することができるという優れた効果を奏する。
【００３１】
また、高沸点有機溶剤にアルコールを加えたアルコール性溶媒を用いるため、パルプ化工程での圧力を、１．０ＭＰａ以下に非常に低く設定することができて、設備費、および運転コストが非常に安くつく。
【００３２】
そのうえ、使用する高沸点有機溶剤を再利用することができて、非常に経済的である。
【００３３】
図２は、本発明によるパルプの製造方法の第２実施形態を示すブロック図である。ここで、上記第１実施形態の場合と異なる点は、パルプ洗浄工程において、分離されたパルプ（粗パルプ）を高沸点有機溶剤を含むアルコール性溶媒で、６０〜８０℃で洗浄して、パルプを取得した後、この洗浄後のパルプに水を加えて、水洗する操作を加えた点にある。そして、この水洗浄液を希釈水としてリグニン取得工程において利用し、この水洗浄液を、前記パルプ化工程からの廃液と、パルプ洗浄工程からの洗浄排出液との混合物よりなるパルプ廃液に攪拌下に加え、必要であれば、さらに少量の水を加えて、リグニンを沈殿させるものである。
【００３４】
この第２実施形態による本発明パルプの製造方法によれば、アルコール性溶媒で洗浄後のパルプに水を加えて、水洗しているため、より高純度のパルプを取得することができるうえに、水洗浄液を希釈水として利用し、パルプ廃液に加えて、リグニンを沈殿させているため、洗浄水の再利用を図ることができて、運転コストが安くつき、非常に経済的である。
【実施例】
【００３５】
以下、本発明の実施例を説明するが、本発明はこれらに限定されるものではない。
【００３６】
実施例１〜３
まず、パルプ化工程において、スギのチップをオートクレーブに入れる。液比４〜１０になるように、常圧での沸点が２９０℃のグリセリン（高沸点有機溶剤）を６０〜８０重量％加え、さらにプロパノールを加える。ついで、６０〜１２０分かけて、オートクレーブ内の温度を、実施例１では１８０℃、実施例２では２００℃、実施例３では２２０℃に、それぞれ昇温し、この温度で１〜２時間保持し、パルプ化する。なお、パルプ化工程でのオートクレーブ内の圧力を、０．５ＭＰａ〜１．０ＭＰａに設定した。
【００３７】
ついで、パルプ化工程後の蒸解液からパルプ（粗パルプ）と廃液とを分離する。さらに、分離したパルプ（粗パルプ）を、いわゆる新規のグリセリン、または廃液などから回収した回収グリセリンを加えるとともに、プロパノールを加えて、６０〜８０℃の温度で洗浄する工程を、３回繰り返す。
【００３８】
前記パルプ化工程からの廃液と、パルプ洗浄工程からの洗浄排出液とを混合して、パルプ廃液とする。
【００３９】
ついで、図２に示されるように、グリセリンを含むアルコール性溶媒で洗浄した後のパルプに、水を加えて、洗浄する操作を３回繰り返す。この水洗浄液を希釈水として利用し、パルプ廃液に攪拌下に加えた。必要であれば、さらに少量の水を加えて、リグニンを沈殿させた。
【００４０】
つぎに、リグニンを吸引濾過して、取得した後、少量の水で洗浄し、分離した。リグニン分離後の濾液から所定のアルコールおよび水を除去して、グリセリンを含む溶剤を回収し、回収したグリセリンを、パルプ化工程および／またはパルプ洗浄工程において再利用した。こうして得られたパルプとリグニンの収率を、下記の表１に示した。
【００４１】
比較例１〜２
比較のために、上記実施例１の場合と同様に実施するが、異なる点は、パルプ化工程においてオートクレーブ内の温度を、比較例１では本発明の範囲外である１６０℃とし、比較例２では本発明の範囲外である２４０℃とした点にある。その他の点は、上記実施例１の場合と同様に実施し、得られたパルプとリグニンの収率を、下記の表１にあわせて示した。
【００４２】
比較例３
比較のために、上記実施例３の場合と同様に実施するが、異なる点は、プロパノールを用いなかった点にある。その他の点は、上記実施例３の場合と同様に実施し、得られたパルプとリグニンの収率を、下記の表１にあわせて示した。
【表１】
2008045223.tif 000003
【００４３】
上記表１の結果から、明らかなように、本発明の実施例１〜３によれば、パルプ収率が良好であり、しかもパルプ化工程を、１８０〜２３０℃に設定することにより、リグニンの収率を高めることができ、それ以上のエネルギー使用量は、軽減することができる。
【００４４】
また、グリセリン（高沸点有機溶剤）に、プロパノール（アルコール）を加えたので、パルプ化工程での圧力を、１．０ＭＰａ以下に非常に低く設定することができて、設備費、および運転コストが非常に安くつくものである。
【００４５】
さらに、使用するグリセリン（高沸点有機溶剤）を再利用することができて、非常に経済的である。
【００４６】
これに対し、比較例１では、パルプ化工程においてオートクレーブ内の温度を、本発明の範囲外である１６０℃に設定しているため、パルプの収率は比較的良好であるが、リグニンの収率が不良であった。また、比較例２では、パルプ化工程においてオートクレーブ内の温度を、本発明の範囲外である２４０℃に設定しているため、逆に、リグニンの収率は比較的良好であるが、パルプの収率が不良であった。
【００４７】
さらに、比較例３では、高沸点有機溶剤のグリセリンを用いているだけで、低沸点アルコールであるプルパノールを使用していないので、パルプの収率はかなり良好であるが、リグニンの収率が不良であった。
【００４８】
実施例４〜６
上記実施例１〜３の場合と同様に実施するが、異なる点は、パルプ化工程において、高沸点有機溶剤として、グリセリンの代わりに、エチレングリコールを用いた点にある。その他の点は、上記実施例１の場合と同様に実施し、得られたパルプとリグニンの収率を、下記の表２に示した。
【００４９】
比較例４〜５
比較のために、上記実施例４の場合と同様に実施するが、異なる点は、パルプ化工程においてオートクレーブ内の温度を、比較例４では本発明の範囲外である１６０℃とし、比較例５では本発明の範囲外である２４０℃とした点にある。その他の点は、上記実施例４の場合と同様に実施し、得られたパルプとリグニンの収率を、下記の表２にあわせて示した。
【００５０】
比較例６
比較のために、上記実施例６の場合と同様に実施するが、異なる点は、プロパノールを用いなかった点にある。その他の点は、上記実施例６の場合と同様に実施し、得られたパルプとリグニンの収率を、下記の表２にあわせて示した。
【表２】
2008045223.tif 000004
【００５１】
上記表２の結果から、明らかなように、本発明の実施例４〜６によれば、パルプ収率が良好であり、しかもパルプ化工程を、１８０〜２３０℃に設定することにより、リグニンの収率を高めることができ、それ以上のエネルギー使用量は、軽減することができる。
【００５２】
また、グリセリン（高沸点有機溶剤）に、プロパノール（アルコール）を加えたので、パルプ化工程での圧力を、１．０ＭＰａ以下に非常に低く設定することができて、設備費、および運転コストが非常に安くつくものである。
【００５３】
さらに、使用するグリセリン（高沸点有機溶剤）を再利用することができて、非常に経済的である。
【００５４】
これに対し、比較例４では、パルプ化工程においてオートクレーブ内の温度を、本発明の範囲外である１６０℃に設定しているため、パルプの収率は比較的良好であるが、リグニンの収率が不良であった。また、比較例５では、パルプ化工程においてオートクレーブ内の温度を、本発明の範囲外である２４０℃に設定しているため、逆に、リグニンの収率は比較的良好であるが、パルプの収率が不良であった。
【００５５】
さらに、比較例６では、高沸点有機溶剤のエチレングリコールを用いているだけで、低沸点アルコールであるプルパノールを使用していないので、パルプの収率はかなり良好であるが、リグニンの収率が不良であった。
【００５６】
実施例７〜９
上記実施例１〜３の場合と同様に実施するが、異なる点は、パルプ原料として、スギのチップの代わりに、トドマツのチップを用いた点にある。その他の点は、上記実施例１の場合と同様に実施し、得られたパルプとリグニンの収率を、下記の表３に示した。
【００５７】
比較例７〜８
比較のために、上記実施例７の場合と同様に実施するが、異なる点は、パルプ化工程においてオートクレーブ内の温度を、比較例７では本発明の範囲外である１６０℃とし、比較例８では本発明の範囲外である２４０℃とした点にある。その他の点は、上記実施例７の場合と同様に実施し、得られたパルプとリグニンの収率を、下記の表３にあわせて示した。
【表３】
2008045223.tif 000005
【００５８】
上記表３の結果から、明らかなように、本発明の実施例７〜９によれば、パルプ収率が良好であり、しかもパルプ化工程を、１８０〜２３０℃に設定することにより、リグニンの収率を高めることができ、それ以上のエネルギー使用量は、軽減することができる。
【００５９】
また、グリセリン（高沸点有機溶剤）に、プロパノール（アルコール）を加えたので、パルプ化工程での圧力を、１．０ＭＰａ以下に非常に低く設定することができて、設備費、および運転コストが非常に安くつくものである。
【００６０】
さらに、使用するグリセリン（高沸点有機溶剤）を再利用することができて、非常に経済的である。
【００６１】
これに対し、比較例７では、パルプ化工程においてオートクレーブ内の温度を、本発明の範囲外である１６０℃に設定しているため、パルプの収率は比較的良好であるが、リグニンの収率が不良であった。また、比較例８では、パルプ化工程においてオートクレーブ内の温度を、本発明の範囲外である２４０℃に設定しているため、逆に、リグニンの収率は比較的良好であるが、パルプの収率が不良であった。
【００６２】
実施例１０〜１２
上記実施例４〜６の場合と同様に実施するが、異なる点は、パルプ原料として、スギのチップの代わりに、トドマツのチップを用いた点にある。その他の点は、上記実施例４の場合と同様に実施し、得られたパルプとリグニンの収率を、下記の表４に示した。
【００６３】
比較例９〜１０
比較のために、上記実施例１０の場合と同様に実施するが、異なる点は、パルプ化工程においてオートクレーブ内の温度を、比較例９では本発明の範囲外である１６０℃とし、比較例１０では本発明の範囲外である２４０℃とした点にある。その他の点は、上記実施例１０の場合と同様に実施し、得られたパルプとリグニンの収率を、下記の表４にあわせて示した。
【表４】
2008045223.tif 000006
【００６４】
上記表４の結果から、明らかなように、本発明の実施例１０〜１２によれば、パルプ収率が良好であり、しかもパルプ化工程を、１８０〜２３０℃に設定することにより、リグニンの収率を高めることができ、それ以上のエネルギー使用量は、軽減することができる。
【００６５】
また、グリセリン（高沸点有機溶剤）に、プロパノール（アルコール）を加えたので、パルプ化工程での圧力を、１．０ＭＰａ以下に非常に低く設定することができて、設備費、および運転コストが非常に安くつくものである。
【００６６】
さらに、使用するグリセリン（高沸点有機溶剤）を再利用することができて、非常に経済的である。
【００６７】
これに対し、比較例９では、パルプ化工程においてオートクレーブ内の温度を、本発明の範囲外である１６０℃に設定しているため、パルプの収率は比較的良好であるが、リグニンの収率が不良であった。また、比較例１０では、パルプ化工程においてオートクレーブ内の温度を、本発明の範囲外である２４０℃に設定しているため、逆に、リグニンの収率は比較的良好であるが、パルプの収率が不良であった。
【図面の簡単な説明】
【００６８】
【図１】本発明によるパルプの製造方法の第１実施形態を示すブロック図である。
【図２】本発明によるパルプの製造方法の第２実施形態を示すブロック図である。
【図１】
2008045223.tif 000007
【図２】
2008045223.tif 000008